(57)【要約】【課題】電子画像作品の作成についてユーザが容易に所望のデザイナに発注できるようにすると共に発注から納品までの各処理を効率的に管理する。【解決手段】受発注管理サーバ２０を、ユーザのコンピュータ４２からネットワーク３０を介して電子画像作品の作成依頼の入力を受け付け，受け付けた作成依頼において指定されたデザイナのコンピュータ４４に発注指示を送信し，デザイナが作成した電子画像作品を受け付け，受け付けた電子画像作品をユーザのコンピュータ４２に送信する受発注管理装置として構成する。この結果、電子画像作品の作成についてユーザが容易に所望のデザイナに発注できるようにすると共に発注から納品までの各処理を効率的に管理することができる。【選択図】　　　　図１
2004054690.tif 000002
【特許請求の範囲】
【請求項１】
ネットワークを介して行なわれる電子画像作品の受発注を管理する受発注管理装置であって、
登録されたユーザから前記ネットワークを介して電子画像作品の作成に関する作品作成情報とデザイナの選定に関するデザイナ選定情報とを含む該電子画像作品の作成依頼を受け付ける作成依頼受付手段と、
該受け付けた作成依頼におけるデザイナ選定情報に基づいて選定されるデザイナに前記ネットワークを介して前記作成依頼における作品作成情報を含む前記電子画像作品の発注指示を送信する発注指示送信手段と、
該送信された発注指示に基づいて前記選定されたデザイナが作成した電子画像作品を該デザイナから前記ネットワークを介して受け付ける作品受付手段と、
該受け付けた電子画像作品を前記ネットワークを介して前記作成依頼に係るユーザに送信する作品送信手段と、
を備える受発注管理装置。
【請求項２】
前記作成依頼受付手段は、前記作品作成情報と前記デザイナ選定情報とを入力可能な作成依頼受付画面を介して前記電子画像作品の作成依頼を受け付ける手段である請求項１記載の受発注管理装置。
【請求項３】
請求項２記載の受発注管理装置であって、
前記作成依頼受付画面は、登録された複数のデザイナに関するデザイナ情報を表示すると共に該表示されたデザイナ情報に基づいて選択されたデザイナを前記デザイナ選定情報として入力可能な画面であり、
前記発注指示送信手段は、前記選択されたデザイナに前記発注指示を送信する手段である
受発注管理装置。
【請求項４】
前記デザイナ情報は、前記作品受付手段により過去に受け付けられた該デザイナの電子画像作品の件数を含む情報である請求項３記載の受発注管理装置。
【請求項５】
前記デザイナ情報は、前記作品受付手段により過去に受け付けられた該デザイナの電子画像作品の画像イメージの少なくとも一つを含む情報である請求項３または４記載の受発注管理装置。
【請求項６】
前記作品作成情報は、電子画像作品の用途，電子画像作品のイメージの少なくとも一つを含む情報である請求項１ないし５いずれか記載の受発注管理装置。
【請求項７】
請求項１ないし６いずれか記載の受発注管理装置であって、
前記電子画像作品の作成に用いる画像素材を記憶する素材記憶手段と、
前記デザイナにより要求された画像素材を前記素材記憶手段から抽出して該デザイナに提供する素材提供手段と、
を備える受発注管理装置。
【請求項８】
前記デザイナにより作成された電子画像作品に基づいて前記ユーザに対する料金請求処理を行なう請求処理手段を備える請求項１ないし７いずれか記載の受発注管理装置。
【請求項９】
前記デザイナにより作成された電子画像作品に基づいて前記デザイナに対する料金支払処理を行なう支払処理手段を備える請求項１ないし８いずれか記載の受発注管理装置。
【請求項１０】
コンピュータを、請求項１ないし９いずれか記載の受発注管理装置として機能させるプログラム。
【請求項１１】
ネットワークを介して行なわれる電子画像作品の受発注を管理する受発注管理方法であって、
（ａ）登録されたユーザから前記ネットワークを介して電子画像作品の作成に関する作品作成情報とデザイナの選定に関するデザイナ選定情報とを含む該電子画像作品の作成依頼を受け付け、
（ｂ）該受け付けた作成依頼におけるデザイナ選定情報に基づいて選定されるデザイナに前記ネットワークを介して前記作成依頼における作品作成情報を含む前記電子画像作品の発注指示を送信し、
（ｃ）該送信された発注指示に基づいて前記選定されたデザイナが作成した電子画像作品を該デザイナから前記ネットワークを介して受け付け、
（ｄ）該受け付けた電子画像作品を前記ネットワークを介して前記作成依頼に係るユーザに送信する
受発注管理方法。
【発明の詳細な説明】
【０００１】
【発明の属する技術分野】
本発明は、電子画像作品の受発注管理装置およびその管理方法並びにこれに用いるプログラムに関し、詳しくは、ネットワークを介して行なわれる電子画像作品の受発注を管理する受発注管理装置およびその管理方法並びにこれに用いるプログラムに関する。
【０００２】
【従来の技術】
従来、カレンダーやポスターなどの電子画像作品を欲するユーザは、過去の取引実績や同業者の口コミ情報などをもとにして選択したデザイナに電子画像作品の作成を発注している。一方、電子画像作品のデザイナは、電子画像作品の注文を受けるべく自己の作品のパンフレットなどを配布して営業活動を行なっている。
【０００３】
【発明が解決しようとする課題】
しかしながら、電子画像作品を発注するユーザによっては、デザイナを知り得る手段が限られており、限られた数のデザイナの中から発注先を選択しなければならない。この場合、自己のイメージどおりの電子画像作品を作成できるデザイナに発注することができず、満足する作品を得られないことがある。一方、デザイナは、自己が得意とするような電子画像作品を希望するユーザがいても、人的な営業活動では地理的，時間的に一定の制約があるため、その注文を受けることができず受注の機会を失ってしまっている。
【０００４】
本発明の電子画像作品の受発注管理装置およびその管理方法は、電子画像作品を発注するユーザが容易に所望のデザイナに発注できるようにすることを目的の一つとする。また、本発明の電子画像作品の受発注管理装置およびその管理方法は、電子画像作品のデザイナが容易により適切な電子画像作品の注文を受けることができるようにすることを目的の一つとする。
【０００５】
【課題を解決するための手段およびその作用・効果】
本発明の電子画像作品の受発注管理装置およびその管理方法並びにこれに用いるプログラムは、上述の目的の少なくとも一部を達成するために以下の手段を採った。
【０００６】
本発明の受発注管理装置は、
ネットワークを介して行なわれる電子画像作品の受発注を管理する受発注管理装置であって、
登録されたユーザから前記ネットワークを介して電子画像作品の作成に関する作品作成情報とデザイナの選定に関するデザイナ選定情報とを含む該電子画像作品の作成依頼を受け付ける作成依頼受付手段と、
該受け付けた作成依頼におけるデザイナ選定情報に基づいて選定されるデザイナに前記ネットワークを介して前記作成依頼における作品作成情報を含む前記電子画像作品の発注指示を送信する発注指示送信手段と、
該送信された発注指示に基づいて前記選定されたデザイナが作成した電子画像作品を該デザイナから前記ネットワークを介して受け付ける作品受付手段と、
該受け付けた電子画像作品を前記ネットワークを介して前記作成依頼に係るユーザに送信する作品送信手段と、
を備えることを要旨とする。
【０００７】
この本発明の受発注管理装置では、登録されたユーザからネットワークを介して受け付けた電子画像作品の作成依頼におけるデザイナ選定情報に基づいて選定されるデザイナに作品作成情報を含む発注指示を送信し、このデザイナにより作成された電子画像作品をネットワークを介して受け付けてユーザに送信する。したがって、デザイナ選定情報に基づいて所望のデザイナに電子画像作品を発注することができる。なお、「作品作成情報」には電子画像作品の用途や電子画像作品のイメージが含まれる。
【０００８】
こうした本発明の受発注管理装置において、前記作成依頼受付手段は、前記作品作成情報と前記デザイナ選定情報とを入力可能な作成依頼受付画面を介して前記電子画像作品の作成依頼を受け付ける手段であるものとすることもできる。この態様の本発明の受発注管理装置において、前記作成依頼受付画面は、登録された複数のデザイナに関するデザイナ情報を表示すると共に該表示されたデザイナ情報に基づいて選択されたデザイナを前記デザイナ選定情報として入力可能な画面であり、前記発注指示送信手段は、前記選択されたデザイナに前記発注指示を送信する手段であるものとすることもできる。こうすれば、登録されたデザイナに関する情報を参照してデザイナを選定することができる。この結果、より適切なデザイナに電子画像作品を発注することができる。
【０００９】
この作成依頼受付画面にデザイナ情報を表示する態様の本発明の受発注管理装置において、前記デザイナ情報は、前記作品受付手段により過去に受け付けられた該デザイナの電子画像作品の件数を含む情報であるものとしたり、前記デザイナ情報は、前記作品受付手段により過去に受け付けられた該デザイナの電子画像作品の画像イメージの少なくとも一つを含む情報であるものとすることもできる。こうすれば、過去に作成された電子画像作品の件数や画像イメージを参照してデザイナを選定することができる。
【００１０】
また、本発明の受発注管理装置において、前記電子画像作品の作成に用いる画像素材を記憶する素材記憶手段と、前記デザイナにより要求された画像素材を前記素材記憶手段から抽出して該デザイナに提供する素材提供手段と、を備えるものとすることもできる。こうすれば、デザイナに画像素材を提供することができる。
【００１１】
さらに、本発明の受発注管理装置において、前記デザイナにより作成された電子画像作品に基づいて前記ユーザに対する料金請求処理を行なう請求処理手段を備えるものとしたり、前記デザイナにより作成された電子画像作品に基づいて前記デザイナに対する料金支払処理を行なう支払処理手段を備えるものとすることもできる。こうすれば、作成された電子画像作品に基づいて料金請求処理や料金支払処理を行なうことができる。
【００１２】
本発明の受発注管理装置用のプログラムは、コンピュータを、上述のいずれかの態様の本発明の受発注管理装置、即ち、基本的には、ネットワークを介して行なわれる電子画像作品の受発注を管理する受発注管理装置であって、登録されたユーザから前記ネットワークを介して電子画像作品の作成に関する作品作成情報とデザイナの選定に関するデザイナ選定情報とを含む該電子画像作品の作成依頼を受け付ける作成依頼受付手段と、該受け付けた作成依頼におけるデザイナ選定情報に基づいて選定されるデザイナに前記ネットワークを介して前記作成依頼における作品作成情報を含む前記電子画像作品の発注指示を送信する発注指示送信手段と、該送信された発注指示に基づいて前記選定されたデザイナが作成した電子画像作品を該デザイナから前記ネットワークを介して受け付ける作品受付手段と、該受け付けた電子画像作品を前記ネットワークを介して前記作成依頼に係るユーザに送信する作品送信手段と、を備える受発注管理装置として機能させることを要旨とする。
【００１３】
この本発明の受発注管理装置用のプログラムでは、コンピュータを上述のいずれかの態様の本発明の受発注管理装置として機能させるから、本発明の受発注管理装置が奏する効果、例えば、デザイナ選定情報に基づいて所望のデザイナに電子画像作品を発注することができる効果や、デザイナに画像素材を提供することができる効果や、作成された電子画像作品に基づいて料金請求処理や料金支払処理を行なうことができる効果などを奏することができる。
【００１４】
本発明の受発注管理方法は、
ネットワークを介して行なわれる電子画像作品の受発注を管理する受発注管理方法であって、
（ａ）登録されたユーザから前記ネットワークを介して電子画像作品の作成に関する作品作成情報とデザイナの選定に関するデザイナ選定情報とを含む該電子画像作品の作成依頼を受け付け、
（ｂ）該受け付けた作成依頼におけるデザイナ選定情報に基づいて選定されるデザイナに前記ネットワークを介して前記作成依頼における作品作成情報を含む前記電子画像作品の発注指示を送信し、
（ｃ）該送信された発注指示に基づいて前記選定されたデザイナが作成した電子画像作品を該デザイナから前記ネットワークを介して受け付け、
（ｄ）該受け付けた電子画像作品を前記ネットワークを介して前記作成依頼に係るユーザに送信する
ことを要旨とする。
【００１５】
この本発明の受発注管理方法では、登録されたユーザからネットワークを介して受け付けた電子画像作品の作成依頼におけるデザイナ選定情報に基づいて選定されるデザイナに作品作成情報を含む発注指示を送信し、このデザイナにより作成された電子画像作品をネットワークを介して受け付けてユーザに送信する。したがって、デザイナ選定情報に基づいて所望のデザイナに電子画像作品を発注することができる。
【００１６】
【発明の実施の形態】
次に、本発明の実施の形態を実施例を用いて説明する。図１は、本発明の一実施例である受発注管理装置として機能する受発注管理サーバ２０を含むシステム構成の概略を示す構成図である。実施例の受発注管理サーバ２０は、図示するように、インターネット３０を介して接続されたユーザのコンピュータ４２やデザイナのコンピュータ４４との間で行なわれるカレンダーやポスターなどの電子画像作品の受発注を管理する受発注管理サーバとして構成されており、電子画像作品の作成に用いる画像素材を記憶する画像素材データベース２２と、デザイナにより作成された電子画像作品に関する情報を記憶する作品データベース２４と、電子画像作品の受発注を管理するための情報を記憶する受発注管理データベース２６とを備える。
【００１７】
次に、こうして構成された実施例の受発注管理サーバ２０の動作について説明する。図２は、ユーザのコンピュータ４２から電子画像作品の作成依頼の要求があったときに、実施例の受発注管理サーバ２０により実行される受発注処理の一例を示すフローチャートである。
【００１８】
受発注処理では、まず、電子画像作品の作成依頼の入力を受け付ける（ステップＳ１００）。作成依頼の受け付けは、実施例では、電子画像作品の作成依頼に関する情報を入力可能な作成依頼受付画面をユーザのコンピュータ４２のモニタに表示出力し、この表示出力した作成依頼受付画面を介して作成依頼を受け付けるものとした。作成依頼受付画面５０の一例を図３に示す。作成依頼受付画面５０は、図示するように、ユーザを特定するユーザ情報や作成依頼に関する作成依頼情報を入力できるように構成されており、入力された各情報は受発注管理データベース２６に登録される。ここで、作成依頼情報としては、作成を依頼する電子画像作品の用途（例えば、ポスターなど），作成を依頼する電子画像作品の印象などを文章で表した作品イメージ，電子画像作品の希望納品日，電子画像作品の作成を依頼するデザイナの指定などが挙げられる。なお、デザイナの指定は、「参照」ボタン５２を押下することにより表示出力されるデザイナ指定画面を用いてデザイナを指定入力するものとした。図４に例示するデザイナ指定画面６０は、予め受発注管理サーバ２０に登録されたデザイナが一覧表示されるように構成されており、チェックボックスをチェックすることによりデザイナを選択することができる。デザイナの一覧表示には、図示するように、デザイナの名称やデザイナにより過去に作成された作品数，デザイナにより過去に作成された作品のうち代表作品のサムネイル（縮小された画像イメージ）などの情報が表示される。実施例では、デザイナの一覧表示は、過去に作成された作品数の降順（作品数が多い順）に一覧表示するものとした。ここで、デザイナにより過去に作成された作品とは、過去に受け付けた作成依頼に対して作成された電子画像作品であって、後述する作品納品処理の中でデザイナから電子ファイルが送信された電子画像作品のことであり、その電子ファイルは作品データベース２４に記憶されている。また、サムネイル表示される代表作品は、最大４件まで表示されるものとし、デザイナにより作成された作品のうち最新の４件を代表作品として表示するものとした。
【００１９】
こうして電子画像作品の作成依頼を受け付けると、受け付けた作成依頼において指定されたデザイナに発注指示を送信し（ステップＳ１１０）、受発注処理を終了する。発注指示の送信は、実施例では、作成依頼受付画面５０を介して入力された作成依頼情報などの情報を記述した電子メールを指定されたデザイナに送信するものとした。デザイナに送信される電子メールの内容の一例を図５に示す。図示するように、デザイナに送信される電子メールには、電子画像作品の注文番号や作成依頼を行なったユーザに関する情報，依頼された電子画像作品に関する情報などが記述される。なお、注文番号は、受け付けた作成依頼を一意に識別するための番号であり、ステップＳ１００で作成依頼の入力を受け付けたときに受発注管理サーバ２０により自動的に発番されて受発注管理データベース２６に登録される。
【００２０】
次に、デザイナから電子画像作品の作成に用いる画像素材の提供の要求があったときに実施例の受発注管理サーバ２０で実行される画像素材提供処理について説明する。図６は画像素材提供処理の一例を示すフローチャートである。画像素材提供処理では、まず、画像素材の選択を受け付ける（ステップＳ２００）。画像素材の選択は、実施例では、画像素材提供画面をデザイナのコンピュータ４４のモニタに表示出力し、この表示出力した画像素材提供画面を介して画像素材の選択を受け付けるものとした。画像素材提供画面７０の一例を図７に示す。画像素材提供画面７０は、図示するように、画像素材データベース２２に記憶された複数の画像素材が表示され、この表示された画像素材の中からチェックボックスをチェックして画像素材を選択することができる。
【００２１】
こうして画像素材の選択がなされると、選択された画像素材をデザイナのコンピュータ４４に送信し（ステップＳ２１０）、画像素材提供処理を終了する。実施例では、画像素材提供画面７０の「ダウンロード」ボタン７２が押下されると、チェックボックスがチェックされた画像素材を画像素材データベース２２から抽出してデザイナのコンピュータ４４に送信するものとした。
【００２２】
次に、デザイナが作成した電子画像作品の納品の要求があったときに実施例の受発注管理サーバ２０で実行される作品納品処理について説明する。図８は作品納品処理の一例を示すフローチャートである。作品納品処理では、まず、デザイナが作成した電子画像作品を受け付ける（ステップＳ３００）。電子画像作品の受け付けは、実施例では、電子画像作品受付画面をデザイナのコンピュータ４４のモニタに表示出力し、この表示出力した電子画像作品受付画面を介して電子画像作品を受け付けるものとした。図９に例示する電子画像作品受付画面８０は、作成した電子画像作品に対応する作成依頼の注文番号と作成した電子画像作品のファイル名とを入力できるように構成されている。そして、注文番号とファイル名とを入力して「アップロード」ボタン８２を押下することにより電子画像作品が電子ファイルとして受発注管理サーバ２０に送信され、作品データベース２４に登録される。
【００２３】
こうして電子画像作品を受け付けると、受け付けた電子画像作品に基づいてユーザに対する請求金額やデザイナに対する支払金額を算出する（ステップＳ３１０）。請求金額や支払金額の算出は、実施例では、これらの算出ルールを予め定めて受発注管理サーバ２０に登録しておき、この登録された算出ルールに従って請求金額や支払金額を算出するものとした。なお、実施例では、前述した画像素材提供処理で提供される画像素材毎に使用料を定めて画像素材データベース２２に記憶しておき、受け付けた電子画像作品に用いられた画像素材の使用料を加算して請求金額や支払金額を算出するものとした。
【００２４】
次に、ユーザに請求金額に関する情報を通知すると共に電子画像作品を送信する（ステップＳ３２０）。実施例では、電子画像作品送信画面をユーザのコンピュータ４２のモニタに表示出力し、この表示出力した電子画像作品送信画面を介して請求金額に関する情報を通知すると共に電子画像作品を送信するものとした。電子画像作品送信画面９０の一例を図１０に示す。電子画像作品送信画面９０は、図示するように、ステップＳ３１０で算出した請求金額などの請求情報が表示されると共にデザイナにより作成された電子画像作品の画像イメージが表示される。そして、「ダウンロード」ボタン９２が押下されると、電子画像作品が電子ファイルとしてユーザのコンピュータ４２に送信される。
【００２５】
続いて、デザイナに支払金額に関する情報を送信し（ステップＳ３３０）、作品納品処理を終了する。実施例では、ステップＳ３１０で算出した支払金額などの支払情報を記述した電子メールをデザイナのコンピュータ４４に送信するものとした。
【００２６】
以上説明した実施例の受発注管理サーバ２０によれば、ユーザからインターネット３０を介して受け付けた電子画像作品の作成依頼において指定されたデザイナに電子画像作品の発注指示を送信する。したがって、所望のデザイナに電子画像作品を発注することができる。しかも、デザイナ指定画面６０によりデザイナの過去の作品に関する情報を参照できるから、より適切なデザイナに電子画像作品を発注することができる。
【００２７】
実施例の受発注管理サーバ２０では、ユーザのコンピュータ４２のモニタに表示出力した作成依頼受付画面を介して電子画像作品の作成依頼を受け付けるものとしたが、電子画像作品の作成依頼に必要な情報を受け付けることができればよく、例えば、電子画像作品の用途や作品イメージ，デザイナの指定などの情報を記述した電子メールを受発注管理サーバ２０に送信して受け付けるものとしてもよい。
【００２８】
実施例の受発注管理サーバ２０では、デザイナ指定画面６０には、デザイナにより過去に作成された作品数，デザイナにより過去に作成された作品のサムネイルなどの情報が表示されるものとしたが、これらの情報に限られず、その他のデザイナに関する情報を表示するものとしても構わない。また、作成依頼受付画面５０には、作成依頼情報として電子画像作品の用途や作品イメージを入力するものとしたが、これらの情報に限られず、その他の作成を依頼する電子画像作品に関する情報を入力するものとしても構わない。
【００２９】
実施例の受発注管理サーバ２０では、作成依頼受付画面５０において指定されたデザイナに発注指示を送信するものとしたが、その他のデザイナ選定情報により定められるデザイナに発注指示を送信するものとしてもよい。例えば、作成依頼情報として入力された電子画像作品の用途（例えば、ポスターやカレンダーなど）により発注指示を送信するデザイナを定めるものとしてもよい。この場合、電子画像作品の用途毎に発注指示可能なデザイナを予め定めて受発注管理サーバ２０に登録しておき、受け付けた作成依頼における電子画像作品の用途から発注指示可能なデザイナを所定のルールに従って選定して発注指示を送信するものとすればよい。また、受け付けた作成依頼からデザイナが自ら選択した作成依頼について発注指示を送信するものとしてもよい。即ち、図１１に例示する受け付けた作成依頼を一覧表示可能な作成依頼選択画面１００をデザイナのコンピュータ４４に表示出力し、この表示出力された作成依頼選択画面１００を介して選択された作成依頼に関する発注指示をデザイナに送信するものとしてもよい。こうすれば、デザイナは、より適切な電子画像作品の注文を受けることができる。
【００３０】
実施例の受発注管理サーバ２０では、デザイナから電子画像作品の作成に用いる画像素材の提供の要求があったときに画像素材提供処理を実行するものとしたが、画像素材提供処理を行なわないものでも構わない。
【００３１】
実施例の受発注管理サーバ２０では、デザイナから受け付けた電子画像作品に基づいてユーザに対する請求金額やデザイナに対する支払金額を算出するものとしたが、請求金額や支払金額の算出を行なわないものでも構わない。この場合、受け付けた電子画像作品のみをユーザに送信するものとすればよい。
【００３２】
実施例では、インターネット３０を介して接続されたユーザのコンピュータ４２とデザイナのコンピュータ４４との間で行なわれるカレンダーやポスターなどの電子画像作品の受発注を管理する受発注管理サーバ２０の形態として説明したが、同様な電子画像作品の受発注を管理する管理方法の形態としたり、コンピュータを実施例の受発注管理サーバ２０として機能させるプログラムの形態としたり、同様な電子画像作品の受発注を管理する管理方法をコンピュータを用いて行なうためのプログラムの形態としてもよい。なお、プログラムの形態とする場合には、図２や図６や図８に例示する受発注処理や画像素材提供処理や作品納品処理の各ステップを適当なプログラミング言語を用いてプログラムすればよい。
【００３３】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例としての受発注管理装置として機能する受発注管理サーバ２０を含むシステム構成の概略を示す構成図である。
【図２】受発注処理の一例を示す説明図である。
【図３】作成依頼受付画面５０の一例を示す説明図である。
【図４】デザイナ指定画面６０の一例を示す説明図である。
【図５】デザイナに送信される電子メールの内容の一例を示す説明図である。
【図６】画像素材提供処理の一例を示すフローチャートである。
【図７】画像素材提供画面７０の一例を示す説明図である。
【図８】作品納品処理の一例を示すフローチャートである。
【図９】電子画像作品受付画面８０の一例を示す説明図である。
【図１０】電子画像作品送信画面９０の一例を示す説明図である。
【図１１】変形例の作成依頼選択画面１００の一例を示す説明図である。
【符号の説明】
２０　受発注管理サーバ、２２　画像素材データベース、２４　作品データベース、２６　受発注管理データベース、３０　インターネット、４２　ユーザのコンピュータ、４４　デザイナのコンピュータ、５０　作成依頼受付画面、５２「参照」ボタン、６０　デザイナ指定画面、７０　画像素材提供画面、７２　「ダウンロード」ボタン、８０　電子画像作品受付画面、８２　「アップロード」ボタン、９０　電子画像作品送信画面、９２　「ダウンロード」ボタン、１００　作成依頼選択画面。
【図１】
2004054690.tif 000003
【図２】
2004054690.tif 000004
【図３】
2004054690.tif 000005
【図４】
2004054690.tif 000006
【図５】
2004054690.tif 000007
【図６】
2004054690.tif 000008
【図７】
2004054690.tif 000009
【図８】
2004054690.tif 000010
【図９】
2004054690.tif 000011
【図１０】
2004054690.tif 000012
【図１１】
2004054690.tif 000013